(57)【要約】【課題】  セキュリティ性が高く、かつ、安価な出入管理システムを提供する。【解決手段】  指紋読取部１と、個人ＩＤと指番号と各指番号に対応する指紋データが予め登録されている登録指紋データ記憶装置２と、指番号と各指番号に対応する制御機能情報が予め登録されている制御テーブル３と、指紋読取部１で読み取った指紋と登録指紋データ記憶装置２に登録されている指紋を照合して、登録指紋データ記憶装置２に登録されている本人であることを同定すれば、指紋読取部１で読み取った指紋の指番号を判定して、判定された指番号に対応する制御機能情報を制御テーブル３から選択して出力する指紋照合装置４と、指紋照合装置４からの制御機能情報に基づいて機能制御対象機器６の機能制御と管理を行う機能制御・管理装置５とで構成される。【選択図】図１
2005113451.tif 000002
【特許請求の範囲】
【請求項１】
特定の管理区域に出入する人の指紋を読み取るための指紋読取部と、
上記管理区域に出入する人の個人ＩＤ、指番号、各指番号に対応する指紋データが予め登録されている登録指紋データ記憶装置と、
指番号と各指番号に対応する制御機能情報が予め登録されている制御テーブルと、
上記指紋読取部で読み取られた指紋データと上記登録指紋データ記憶装置に登録されている指紋データを照合し、上記読み取られた指紋データが上記登録指紋データ記憶装置に登録されている指紋データのいずれかに一致すれば、上記登録指紋データ記憶装置に個人ＩＤが登録されている本人であることを同定したＩＤ情報を出力すると共に、上記読み取られた指紋データが何番目の指の指紋であるかを判定して、判定された指番号に対応する制御機能情報を上記制御テーブルから選択して出力する指紋照合装置と、
上記指紋照合装置から出力される上記ＩＤ情報と選択された制御機能情報に基づいて、機能制御対象機器に対して機能制御と管理を行う機能制御・管理装置を備えたことを特徴とする出入管理システム。
【請求項２】
上記制御テーブルは、複数の指番号の組合せに対応する制御機能情報が予め登録されていると共に、上記指紋読取部は複数の指番号の指紋を読み取り、上記指紋照合装置は上記制御テーブルから複数の指番号の組合せに対応する制御機能情報を選択して出力することを特徴とする請求項１に記載の出入管理システム。
【請求項３】
個人ＩＤに対応する暗証番号は、指紋が読み取られる複数の指の指番号の組合せで設定されていることを特徴とする請求項１に記載の出入管理システム。
【発明の詳細な説明】
【技術分野】
【０００１】
本発明は、特定の管理区域に対する個人の出入を管理する出入管理システムに係わり、特に、指紋照合装置を用いて、本人であることを同定すると共に、警備入／切、電気錠の施錠／解除等の設備機器の機能切換を行う出入管理システムに関する。
【背景技術】
【０００２】
従来の出入管理システムでは、本人認証をＩＤカードや指紋照合で行い、電気錠の切換（一時解除、連続解除、連続施錠等の切換）、警備の入り切り、照明オン／オフ等の機能切換（選択）制御には、本人認証のための装置とは別に設置したフォンクションボタン付きテンキースイッチなどによって行っていた。
なお、例えば、特許文献１（特開平１１−２３２５１３号公報）には、「個人識別媒体を用いて特定区域に対する個人の出入を管理する出入管理システムにおいて、個人識別媒体を識別する媒体識別手段と、個人を特定する個人特定手段と、媒体識別手段の出力と個人特定手段の出力とにしたがい、個人識別媒体を所持する人が該識別媒体を本来所持すべき人であるか否かを判定する個人判定手段を備えた出入管理システム」示されている。
しかしながら、特許文献１には、電気錠の切換、警備の入り切り、照明オン／オフ等の制御に関しては全く何も記載されていない。
【特許文献１】特開平１１−２３２５１３号公報（図１、段落００１３）
【発明の開示】
【発明が解決しようとする課題】
【０００３】
従来の出入管理システムは、上述のように構成されているので、機能切換（機能選択）用のファンクションキー等を別途設置する必要があり、システムが複雑、かつ高価になるという問題点があった。
【０００４】
この発明は、上述のように問題点を解決するためになされたもので、セキュリティ性が高く、かつ、機能制御対象設備に対する機能切換（機能選択）用の装置を設ける必要のない安価な出入管理システムを提供することを目的とする。
【課題を解決するための手段】
【０００５】
この発明に係る出入管理システムにおいては、特定の管理区域に出入する人の指紋を読み取るための指紋読取部と、上記管理区域に出入する人の個人ＩＤ、指番号、各指番号に対応する指紋データが予め登録されている登録指紋データ記憶装置と、指番号と各指番号に対応する制御機能情報が予め登録されている制御テーブルと、上記指紋読取部で読み取られた指紋データと上記登録指紋データ記憶装置に登録されている指紋データを照合し、上記読み取られた指紋データが上記登録指紋データ記憶装置に登録されている指紋データのいずれかに一致すれば、上記登録指紋データ記憶装置に個人ＩＤが登録されている本人であることを同定したＩＤ情報を出力すると共に、上記読み取られた指紋データが何番目の指の指紋であるかを判定して、判定された指番号に対応する制御機能情報を上記制御テーブルから選択して出力する指紋照合装置と、上記指紋照合装置から出力される上記ＩＤ情報と選択された制御機能情報に基づいて、機能制御対象機器に対して機能制御と管理を行う機能制御・管理装置を備えたものである。
ものである。
【発明の効果】
【０００６】
本発明によれば、予め特定の管理区域に出入する人の複数の指の指紋を登録しておき、登録された指紋と照合することにより本人であることを特定すると共に、複数指紋の組合せによって、電気錠の切換（一時解除、連続解除、連続施錠等の切換）、警備の入り切り、照明オン／オフ等の機能切換を行うので、機能切換のための装置を設置する必要がなくなり、セキュリティ性が高く、かつ、安価な出入管理システムを実現できる。
【発明を実施するための最良の形態】
【０００７】
以下、図面に基づいて、本発明の一実施の形態について説明する。
実施の形態１．
図１は、実施の形態１よる出入管理システムの構成示すブロツクである。
図２は、実施の形態１よる出入管理システムの登録指紋データ記憶装置２に登録されている登録指紋データの構成を示す図であり、１つの登録指紋データは個人を識別する個人ＩＤ、指番号、および指紋データで構成されている。
なお、図２の例では、一人当たり最大１０指の指紋データの登録を可能としている。
また、図３は、実施の形態１よる出入管理システムの機能を切換・制御するための制御テーブル８の構成例を示す図である。
図３の例では、操作指番号が１の場合は電気錠の一時解除、操作指番号が２の場合は警備入、操作指番号が３の場合は警備切を示している。
即ち、指番号に対応して機能が設定されている。
なお、機能としては、警備（防犯）設備の入切、電気錠の一時解除、連続解除、一時施錠、連続施錠、照明設備の入切等があるが、図３ではその一部を示している。
【０００８】
本実施の形態による出入管理システムは、図１に示すように、特定の管理区域に出入する人（例えば、警備員等）の指紋を読み取る指紋読取部１と、管理区域に出入する人の個人ＩＤ、指番号、各指番号に対応する指紋データが予め登録されている登録指紋データ記憶装置２と、管理区域に出入する人の指番号と各指番号に対応する機能が予め登録されている制御テーブル３と、指紋読取部１で読み取られた指紋データと登録指紋データ記憶装置２に登録されている指紋データを照合し、読み取られた指紋データが登録指紋データ記憶装置２に予め登録されている指紋データのいずれかに一致すれば、登録指紋データ記憶装置２に予め個人ＩＤが登録されている本人であることを同定したＩＤ情報を出力すると共に、該読み取られた指紋データが何番目の指の指紋であるかを判定して、判定された指番号に対応する制御機能情報を制御テーブル３から選択して出力する指紋照合装置４と、指紋照合装置４から出力されるＩＤ情報と選択された制御機能情報に基づいて機能制御対象機器６に対して機能制御と管理を行う機能制御・管理装置５とで構成されている。
【０００９】
次ぎに、本実施の形態による出入管理システムについて説明する。
警備員等が特定の管理区域に出入して、警備（防犯）設備の入切、電気錠の一時解除、連続解除、一時施錠、連続施錠、照明設備の入切等のいずれかの動作（機能）を行おうとする時、出入口に設置されている指紋読取部１により所望の動作（機能）に対応する指番号の指の指紋を読み取らせる。
読み取られた指紋データは、指紋読取部１から指紋照合装置４に送られる。
指紋照合装置４は、指紋読取部１から送られてきた指紋データと登録指紋データ記憶装置２に予め登録されている指紋データを照合する。
そして、一致する指紋データがあれば、指紋読取部１から送られてきた指紋データは管理区域に出入することが予め登録されている（即ち、個人ＩＤが登録されている）者であると同定（判定）し、個人ＩＤが予め登録されている本人であることを同定したＩＤ情報を出力する
【００１０】
さらに、指紋照合装置４は、指紋読取部１から送られてきた指紋データが、何番目の指番号の指紋データであるかを判定すると共に、管理区域に出入する人の指番号と各指番号に対応する制御機能が予め登録されている制御テーブル３から判定された指番号に対応する制御機能情報を選択して出力する。
機能制御・管理装置５は、指紋照合装置４から出力されるＩＤ情報と選択された制御機能情報に基づいて機能制御対象機器（例えば、警備設備、電気錠、照明設備等）６に対して機能制御と管理を行う。
なお、機能制御・管理装置５は、防犯センサー７の監視も行っている。
【００１１】
このように、本実施の形態による出入管理システムは、個人ＩＤ毎に指番号と各指番号に対応する指紋データが登録されている登録指紋データ記憶装置２と、指番号と各指番号に対応する機能が予め登録されている制御テーブル３を備え、指紋読取部１で読み取った指紋によって本人であることを同定すると共に、指紋読取部１で読み取った指紋の指番号に対応する機能を選択できるので、従来のように機能制御対象設備に対する機能切換のための装置を設置する必要がなくなり、セキュリティ性が高く、かつ、安価な出入管理システムを実現できる。
【００１２】
実施の形態２．
上述の実施の形態１では、１０指のうちのいずれか１本の指の指紋を指紋読取部１で読み取らせて照合し、読み取った指紋の指番号に対応する制御機能情報を選択して機能制御対象機器６に対して機能制御と管理を行っているが、複数の指、例えば、２本の指の指紋を指紋読取部１で読み取らせて２回指紋照合し、読み取った２つの指紋の指番号の組合せに対応する制御機能情報を選択して機能制御対象機器６に対して機能制御と管理を行ってもよい。
図４は、実施の形態２による出入管理システムの場合の制御テーブル３に予め登録されている情報テーブルの例を示しており、１回目に指紋を読み取らせる指番号と２回目に指紋を読み取らせる指番号の組合せにより、どの機能を実現するかの例を示している。
【００１３】
図４の例では、１回目に指紋を読み取った指番号が１であり、２回目に指紋を読み取った指の指番号が２である場合、この組合せに対応する機能は「一時解錠」であり、また、１回目に指紋を読み取った指の指番号が２であり、２回目に指紋を読み取った指の指番号が３である場合、この組合せに対応する機能は「警備入」であることを示している。
このように、本実施の形態においては読み取った２つの指紋の指番号の組合せによって、機能を設定するので、実施の形態１の場合より多くの機能の設定（即ち、多くの機能制御対象機器の機能制御）が可能となる。
【００１４】
実施の形態３．
上述の実施の形態１では、１０指のうちのいずれか１本の指の指紋を指紋読取部１で読み取らせて照合し、読み取った指紋の指番号に対応する制御機能情報を選択して機能制御対象機器６に対して機能制御と管理を行っているが、３本の指の指紋を指紋読取部１で読み取らせて３回指紋照合し、読み取った３つの指紋の指番号の組合せに対応する制御機能情報を選択して機能制御対象機器６に対して機能制御と管理を行ってもよい。
図５は、実施の形態３による出入管理システムの場合の制御テーブル３に予め登録されている情報テーブルの例を示しており、１回目、２回目、３回目にそれぞれ指紋を読み取った指の指番号の組合せにより、どの機能を実現するかの例を示している。
【００１５】
図５の例では、１回目に指紋を読み取った指の指番号が１であれば、これに対応する機能は「一時解錠して終了」であることを示している。
また、１回目に指紋を読み取った指の指番号が２の場合であれば、電気錠の制御に関する機能であることを示し、さらに、２回目に指紋を読み取った指の指番号が４であれば、この場合の機能は「常解」、２回目に指紋を読み取った指の指番号が５であれば、この場合の機能は「常閉」であることを示している。
また、１回目に指紋を読み取った指の指番号が３の場合で、２回目に指紋を読み取った指の指番号が１であれば警備に関する機能であることを示している。
【００１６】
そして、３回目に指紋を読み取った指の指番号が４であれば、これに対応する機能は「警備入」であり、３回目に指紋を読み取った指の指番号が５であれば、これに対応する機能は「警備切」でることを示している。
同様に、１回目に指紋を読み取った指の指番号が３の場合で、２回目に指紋を読み取った指の指番号が２であれば照明に関する機能であることを示している。
そして、３回目に指紋を読み取った指の指番号が４であれば、これに対応する機能は「照明入」であり、３回目に指紋を読み取った指の指番号が５であれば、これに対応する機能は「照明切」でることを示している。
このように、本実施の形態においては読み取った３つの指紋の指番号の組合せによって、機能を設定するので、実施の形態２の場合よりさらに多くの機能の設定（即ち、多くの機能制御対象機器の機能制御）が可能となる。
なお、本実施の形態では、読み取った３つの指紋の指番号の組合せによって機能を設定する場合について説明したが、４つ以上の指紋の指番号の組合せによって機能を設定してもよいことは言うまでもない。
【００１７】
実施の形態４．
出入管理システムのセキュリティ性を上げる必要がある場合は、通常は指紋の照合だけではなく、指紋照合とテンキー入力による暗証番号照合とにより本人確認を行うが、この暗証番号の照合を複数指の指番号によって行ってもよい。
図６は、個人ＩＤとこれに対応する指番号で設定される暗証番号の例を示したものである。例えば、個人ＩＤが１１１１１１の場合は、指番号が、１，２，３，４の順で指の指紋照合をすればよいことを示している。
このように、個人ＩＤに対応する暗証番号は、指紋が読み取られる複数の指の指番号の組合せで設定されているので、暗証番号入力用のテンキー入力装置を別に設けることなく、複数の指の指紋照合を行うだけで、暗証番号（即ち、個人ＩＤ）の照合を行うことが可能となり、セキュリティ性の高い出入管理システムを安価に実現することができる。
【産業上の利用可能性】
【００１８】
本発明は、セキュリティ性が高く、かつ、機能制御対象設備に対する機能切換（機能選択）用の装置を設ける必要のない安価な出入管理システムの実現に有用である。
【図面の簡単な説明】
【００１９】
【図１】実施の形態１における出入管理システムの構成示すブロツクである。
【図２】実施の形態１における出入管理システムの登録指紋データ記憶装置に登録されている登録指紋データの構成を示す図である。
【図３】実施の形態１における出入管理システムの制御テーブルの構成例を示す図である。
【図４】実施の形態２における出入管理システムの制御テーブルの構成例を示す図である。
【図５】実施の形態３における出入管理システムの制御テーブルの構成例を示す図である。
【図６】実施の形態４における出入管理システムの個人ＩＤとこれに対応する指番号で設定される暗証番号の例を示す図である。
【符号の説明】
【００２０】
１  指紋読取部                  ２  登録指紋データ記憶装置
３  制御テーブル                ４  指紋照合装置４
５  機能制御・管理装置          ６  機能制御対象機器
【図１】
2005113451.tif 000003
【図２】
2005113451.tif 000004
【図３】
2005113451.tif 000005
【図４】
2005113451.tif 000006
【図５】
2005113451.tif 000007
【図６】
2005113451.tif 000008